(57)【要約】【課題】忘却係数による再帰形フィルタを用いてチャネル推定を行う場合に、過渡状態でのチャネル推定の誤差を減少させ、同期確立までの時間を改善する。【解決手段】乗算器４２１で受信したパイロットシンボルとその複素共役との乗算を行い、複素共役正規化回路４２２は、それを複素共役正規化し、スロットごとの瞬時のチャネル推定値を算出する。一方、忘却係数算出回路４２５は、パス検出回路からのパスレベル情報に基づいて基準忘却係数の値を変更した忘却係数を算出し、忘却回路４２６は、これを前回（前スロット）のチャネル推定値に重み付けとして掛け合わせる。加算器４２３は、複素共役正規化回路の出力と、忘却回路の出力とを加算し、今回（現スロット）のチャネル推定値として出力する。【選択図】      図２
2005020445.tif 000002
【特許請求の範囲】
【請求項１】
ＣＤＭＡ通信方式の受信装置に用いられ、受信した拡散符号で拡散された信号を逆拡散して得られた信号に対し、当該信号に挿入されているパイロットシンボルに基づいて当該信号全体の位相の回転を推定し補正するチャネル推定装置において、
拡散符号で拡散されている受信信号からパスを検出し、そのタイミングを示すパスタイミング情報及びレベルを示すパスレベル情報を出力するパス検出手段と、
前記パスタイミング情報に従って前記拡散符号で拡散されている受信信号を逆拡散して得られた信号から所定期間ごとにパイロットシンボルを抽出しその位相回転を判定して瞬時のチャネル推定値を算出し、前回期間における最終的なチャネル推定値に忘却係数を掛けた結果と加算することにより、今回期間における前記拡散して得られた信号全体の位相の回転を補正するための最終的なチャネル推定値として出力し、かつ、前記忘却係数の値を前記パスレベル情報に応じて変化させるチャネル推定手段と、
前記チャネル推定手段からのチャネル推定値に基づいて、前記拡散して得られた信号全体の位相の回転を補正する位相補正手段とを備えることを特徴とするチャネル推定装置。
【請求項２】
前記チャネル推定手段が、
受信した前記パイロットシンボルとそのあらかじめ設定された複素共役との乗算を行う乗算手段と、
前記乗算手段の出力を複素共役正規化し瞬時のチャネル推定値として出力する複素共役正規化手段と、
前記パスレベル情報に基づいてあらかじめ設定された基準忘却係数の値を変更した忘却係数を算出し出力する忘却係数算出手段と、
前回の最終的なチャネル推定値に、前記忘却係数算出手段からの忘却係数を掛けた結果を出力する忘却手段と、
前記複素共役正規化手段の出力に前記忘却手段からの出力の加算を行い最終的なチャネル推定値として出力する加算手段とを有することを特徴とする請求項１記載のチャネル推定装置。
【請求項３】
前記忘却係数算出手段が、前記パスレベル情報の示すレベル値が所定の高レベル閾値より高い場合は、前記基準の忘却係数の値そのままを出力忘却係数の値とし、前記レベル値が前記高レベル閾値より低くなるにしたがって前記基準の忘却係数の値を漸次減少した値を出力忘却係数の値とすることを特徴とする請求項２記載のチャネル推定装置。
【請求項４】
ＣＤＭＡ通信方式の受信装置において、
送信側より送信されたＣＤＭＡ方式の無線信号を受信し拡散符号で拡散されたベースバンドの受信信号として出力する無線受信手段と、前記無線受信手段からの受信信号を該当拡散符号で逆拡散し、ベースバンド信号として出力する復調手段と、前記復調手段からの受信信号を該当符号則で復号し、送信側からの送信データを復元する復号手段とを備え、
前記復調手段が、
前記無線受信手段からの受信信号と既知のパイロットシンボルとの相関を取り、主要なパスを検出しパスタイミング情報及びパスレベル情報として出力する請求項１記載のパス検出手段と、
各々が、割り当てられた前記パス検出手段からのパスタイミングを基に、前記無線受信手段からの受信信号を該当拡散符号で逆拡散しベースバンド信号として出力する逆拡散手段と、前記逆拡散手段の出力受信信号に対しその中のパイロットシンボルの位相を検出することによりフェージングによる受信信号の位相の回転を推定し、対応するパスレベルに応じた忘却係数の値を制御しながら、チャネル推定値として出力する請求項１、２、または３記載のチャネル推定手段と、前記逆拡散手段からの受信信号のすべてのシンボルに対し、前記チャネル推定手段における処理時間分だけ遅らせてから前記チャネル推定手段からのチャネル推定値を掛け、位相の補正を行い出力する請求項１記載の位相補正手段とを有する複数のフィンガー手段と、
前記複数のフィンガー手段の出力を加算合成する合成手段とを有していることを特徴とするＣＤＭＡ受信装置。
【請求項５】
ＣＤＭＡ通信方式の受信装置における、受信した拡散符号で拡散された信号を逆拡散して得られた信号に対し、当該信号に挿入されているパイロットシンボルに基づいて当該信号全体の位相の回転を推定し補正するチャネル推定方法において、
パス検出手段で、拡散符号で拡散されている受信信号からパスを検出し、そのタイミングを示すパスタイミング情報及びレベルを示すパスレベル情報を求め、
チャネル推定手段で、前記パスタイミング情報に従って前記拡散符号で拡散されている受信信号を逆拡散して得られた信号から所定期間ごとにパイロットシンボルを抽出しその位相回転を判定して瞬時のチャネル推定値を算出し、前回期間における最終的なチャネル推定値に忘却係数を掛けた結果と加算することにより、今回期間における前記拡散して得られた信号全体の位相の回転を補正するための最終的なチャネル推定値として算出するとともに、前記忘却係数の値を前記パスレベル情報に応じて変化させ、
位相補正手段で、前記最終的なチャネル推定値に基づいて、前記拡散して得られた信号全体の位相の回転を補正することを特徴とするチャネル推定方法。
【請求項６】
前記チャネル推定手段で、
受信した前記パイロットシンボルとそのあらかじめ設定された複素共役との乗算を行い、乗算結果を複素共役正規化して所定期間ごとの瞬時のチャネル推定値を算出し、
前記パスレベル情報に基づいてあらかじめ設定された基準忘却係数の値を変更した忘却係数を算出し、
今回の前記瞬時のチャネル推定値に、前回の最終的なチャネル推定値に前記算出された忘却係数を掛けた結果を加算し、今回の最終的なチャネル推定値として算出することを特徴とする請求項５記載のチャネル推定方法。
【請求項７】
前記パスレベル情報の示すレベル値が所定の高レベル閾値より高い場合は、前記基準忘却係数の値そのままを算出すべき忘却係数の値とし、前記レベル値が前記高レベル閾値より低くなるにしたがって前記基準忘却係数の値を漸次減少した値を算出すべき忘却係数の値とすることを特徴とする請求項６記載のチャネル推定方法。
【発明の詳細な説明】
【０００１】
【発明の属する技術分野】
本発明は、ＣＤＭＡ通信方式の受信装置と、それに用いられる、受信した拡散符号で拡散された信号を逆拡散して得られた信号に対し、当該信号に挿入されているパイロットシンボルに基づいて当該信号全体の位相の回転を推定し補正するチャネル推定装置及びチャネル推定方法とに関する。
【０００２】
【従来の技術】
ＣＤＭＡ（符号分割多元接続）通信システムでは、送信側は、送信データをチャネル符号化してパイロット信号とともにデータ変調し、拡散符号で拡散後、無線周波数信号に変調して無線送信する。受信側（ＣＤＭＡ受信装置）は、受信した無線周波数信号を拡散符号で拡散された信号に復調し、送信側と同じ拡散符号で逆拡散後、チャネル復号して２値データ判定し、送信データを復元する。
【０００３】
このＣＤＭＡ受信装置において、拡散符号で拡散された受信信号は、複数のマルチパス成分を含んでおり、パス検出回路で主要なパスが検出され（レベルの大きなパスのタイミングの検出）、各主要パスに対応したフィンガー回路でそれぞれ逆拡散された後、レイク合成され、データが復号される。
【０００４】
一方、受信信号は無線区間のフェージングにより、位相回転が発生する。各フィンガー回路では、受信拡散信号を逆拡散して得た信号（シンボル）における位相回転を、当該受信信号に含まれるパイロットシンボル（送信側での送信位相、振幅が既知の信号）に基づいて推定（チャネル推定）するチャネル推定回路を設け、チャネル推定回路からのチャネル推定値に従い、すべてのデータシンボルの位相回転を補正する。送受信信号は複数スロットに分割されたフレームで構成されており、パイロットシンボルは各スロットに複数個挿入されている。
【０００５】
チャネル推定回路は、通常、スロットごとに、該当スロット中の複数のパイロットシンボルを平均して瞬時チャネル推定値を求め、近傍の複数スロット各々のの瞬時チャネル推定値も参照しながら最終的なチャネル推定値を算出している。この複数スロットの瞬時チャネル推定値から最終的なチャネル推定値を算出するための具体的な手段，方法としては、ＷＭＳＡ（マルチスロット重み付き平均化）チャネル推定フィルタを使用する場合もあるが、前回（直前のスロット）の最終的なチャネル推定値に忘却係数を掛けて今回（注目スロット）の瞬時チャネル推定値に加算し今回の最終的なチャネル推定値を求める、より簡易な構成の再帰形フィルタを使用する場合もある。（例えば、特許文献１参照）。
【０００６】
【特許文献１】
特開２００１−７７７４４号公報（第１−２頁、図９）
【０００７】
【発明が解決しようとする課題】
チャネル推定値の算出に、上述の忘却係数を乗じた前回までの推定値を用いる再帰形フィルタを使用する場合、回路構成はＷＭＳＡフィルタを使用する場合よりも簡略化することができる。しかし、忘却係数が固定値だと、フェージング等により同期が不安定な場合に、チャネル推定値は誤差が大きくなり、この結果、同期確立までに時間がかかってしまう。
【０００８】
本発明の目的は、忘却係数による再帰形フィルタを用いてチャネル推定を行う際、フェージングにより受信信号に変動が生じても、検出したパスのレベル状態に応じて忘却係数の値を可変とすることにより、過渡状態でのチャネル推定の誤差を減少させ、同期確立までの時間を改善可能としたＣＤＭＡ受信装置、及びそのチャネル推定装置と方法を提供することにある。
【０００９】
【課題を解決するための手段】
本発明の請求項１に係るチャネル推定装置は、ＣＤＭＡ通信方式の受信装置に用いられ、受信した拡散符号で拡散された信号を逆拡散して得られた信号に対し、当該信号に挿入されているパイロットシンボルに基づいて当該信号全体の位相の回転を推定し補正するチャネル推定装置において、拡散符号で拡散されている受信信号からパスを検出し、そのタイミングを示すパスタイミング情報及びレベルを示すパスレベル情報を出力するパス検出手段と、前記パスタイミング情報に従って前記拡散符号で拡散されている受信信号を逆拡散して得られた信号から所定期間ごとにパイロットシンボルを抽出しその位相回転を判定して瞬時のチャネル推定値を算出し、前回期間における最終的なチャネル推定値に忘却係数を掛けた結果と加算することにより、今回期間における前記拡散して得られた信号全体の位相の回転を補正するための最終的なチャネル推定値として出力し、かつ、前記忘却係数の値を前記パスレベル情報に応じて変化させるチャネル推定手段と、前記チャネル推定手段からのチャネル推定値に基づいて、前記拡散して得られた信号全体の位相の回転を補正する位相補正手段とを備える。
【００１０】
本発明の請求項２に係るチャネル推定装置は、請求項１に係るチャネル推定装置において、前記チャネル推定手段が、受信した前記パイロットシンボルとそのあらかじめ設定された複素共役との乗算を行う乗算手段と、前記乗算手段の出力を複素共役正規化し瞬時のチャネル推定値として出力する複素共役正規化手段と、前記パスレベル情報に基づいてあらかじめ設定された基準忘却係数の値を変更した忘却係数を算出し出力する忘却係数算出手段と、前回の最終的なチャネル推定値に、前記忘却係数算出手段からの忘却係数を掛けた結果を出力する忘却手段と、前記複素共役正規化手段の出力に前記忘却手段からの出力の加算を行い最終的なチャネル推定値として出力する加算手段とを有する。
【００１１】
本発明の請求項３に係るチャネル推定装置は、請求項２に係るチャネル推定装置において、前記忘却係数算出手段が、前記パスレベル情報の示すレベル値が所定の高レベル閾値より高い場合は、前記基準の忘却係数の値そのままを出力忘却係数の値とし、前記レベル値が前記高レベル閾値より低くなるにしたがって前記基準の忘却係数の値を漸次減少した値を出力忘却係数の値とする構成を有する。
【００１２】
本発明の請求項４に係るＣＤＭＡ受信装置は、ＣＤＭＡ通信方式の受信装置において、送信側より送信されたＣＤＭＡ方式の無線信号を受信し拡散符号で拡散されたベースバンドの受信信号として出力する無線受信手段と、前記無線受信手段からの受信信号を該当拡散符号で逆拡散し、ベースバンド信号として出力する復調手段と、前記復調手段からの受信信号を該当符号則で復号し、送信側からの送信データを復元する復号手段とを備え、前記復調手段が、前記無線受信手段からの受信信号と既知のパイロットシンボルとの相関を取り、主要なパスを検出しパスタイミング情報及びパスレベル情報として出力する請求項１記載のパス検出手段と、各々が、割り当てられた前記パス検出手段からのパスタイミングを基に、前記無線受信手段からの受信信号を該当拡散符号で逆拡散しベースバンド信号として出力する逆拡散手段と、前記逆拡散手段の出力受信信号に対しその中のパイロットシンボルの位相を検出することによりフェージングによる受信信号の位相の回転を推定し、対応するパスレベルに応じた忘却係数の値を制御しながら、チャネル推定値として出力する請求項１、２、または３記載のチャネル推定手段と、前記逆拡散手段からの受信信号のすべてのシンボルに対し、前記チャネル推定手段における処理時間分だけ遅らせてから前記チャネル推定手段からのチャネル推定値を掛け、位相の補正を行い出力する請求項１記載の位相補正手段とを有する複数のフィンガー手段と、前記複数のフィンガー手段の出力を加算合成する合成手段とを有している。
【００１３】
本発明の請求項５に係るチャネル推定方法は、ＣＤＭＡ通信方式の受信装置における、受信した拡散符号で拡散された信号を逆拡散して得られた信号に対し、当該信号に挿入されているパイロットシンボルに基づいて当該信号全体の位相の回転を推定し補正するチャネル推定方法において、パス検出手段で、拡散符号で拡散されている受信信号からパスを検出し、そのタイミングを示すパスタイミング情報及びレベルを示すパスレベル情報を求め、チャネル推定手段で、前記パスタイミング情報に従って前記拡散符号で拡散されている受信信号を逆拡散して得られた信号から所定期間ごとにパイロットシンボルを抽出しその位相回転を判定して瞬時のチャネル推定値を算出し、前回期間における最終的なチャネル推定値に忘却係数を掛けた結果と加算することにより、今回期間における前記拡散して得られた信号全体の位相の回転を補正するための最終的なチャネル推定値として算出するとともに、前記忘却係数の値を前記パスレベル情報に応じて変化させ、位相補正手段で、前記最終的なチャネル推定値に基づいて、前記拡散して得られた信号全体の位相の回転を補正する工程を有する。
【００１４】
本発明の請求項６に係るチャネル推定方法は、請求項５に係るチャネル推定方法において、前記チャネル推定手段で、受信した前記パイロットシンボルとそのあらかじめ設定された複素共役との乗算を行い、乗算結果を複素共役正規化して所定期間ごとの瞬時のチャネル推定値を算出し、前記パスレベル情報に基づいてあらかじめ設定された基準忘却係数の値を変更した忘却係数を算出し、今回の前記瞬時のチャネル推定値に、前回の最終的なチャネル推定値に前記算出された忘却係数を掛けた結果を加算し、今回の最終的なチャネル推定値として算出する工程を有する。
【００１５】
本発明の請求項７に係るチャネル推定方法は、請求項６に係るチャネル推定方法において、前記パスレベル情報の示すレベル値が所定の高レベル閾値より高い場合は、前記基準忘却係数の値そのままを算出すべき忘却係数の値とし、前記レベル値が前記高レベル閾値より低くなるにしたがって前記基準忘却係数の値を漸次減少した値を算出すべき忘却係数の値とする工程を有する。
【００１６】
【発明の実施の形態】
まず、本発明の概要を説明する。本発明は、ＣＤＭＡ通信方式の受信装置（ＣＤＭＡ受信装置）における受信信号復調時の忘却係数による再帰形フィルタを用いたチャネル推定において、パスレベルに従い、忘却係数の値を変化させることにより、過渡状態でのチャネル推定の誤差を減少させ、同期確立までに要する時間を短縮することを特徴としている。
【００１７】
ＣＤＭＡ受信装置についてより具体的に説明する。無線受信部は無線周波数信号を受信し、送信側から出力された拡散符号で拡散された信号を出力する。パス検出回路は、無線受信部からの受信信号と既知のパイロット信号（パイロットシンボル：Ｐｉｌｏｔ  Ｓｙｍｂｏｌ）との相関を取り、パス（そのタイミング及びレベル）を検出し、パスタイミング情報及びパスレベル情報を出力する。主要なパスにそれぞれ割り当てられた各フィンガー部の逆拡散回路は、パス検出回路からの対応するパスタイミング情報を元に受信信号を送信側と同一の拡散符号で逆拡散し出力する。チャネル推定回路は、逆拡散回路からの逆拡散後の受信信号中のパイロット信号の位相からフェージングによる受信信号の位相の回転を推定し、逆拡散回路から出力されたすべての逆拡散後の受信信号の位相を補正する。その際、パス検出回路からのパスレベル情報に基づいて各パイロット信号に対する忘却係数の値を制御し、過渡状態でのチャネル推定の誤差を減少させる。Ｒａｋｅ（レイク）合成回路は、各フィンガー部から出力された信号、すなわち、対応するパスタイミングにより復調され位相回転が補正された受信信号を加算する。復号部は、Ｒａｋｅ合成回路からの信号を復号し送信データを復元する。
【００１８】
次に、本発明の実施の形態について図面を参照して詳細に説明する。
【００１９】
図１は本発明の一実施の形態を示すブロック構成図であり、ＣＤＭＡ受信装置のうち本発明に関係する部分のみを示している。図１において、本例のＣＤＭＡ受信装置は、送信側より送信されたＣＤＭＡ方式の無線信号を受信し拡散符号で拡散されたベースバンドの受信信号（拡散化ベースバンド信号）として出力する無線受信部１と、無線受信部１からの受信信号（拡散化ベースバンド信号）を該当拡散符号で逆拡散し、ベースバンド信号として出力する復調部２と、復調部２からの受信信号（ベースバンド信号）を該当符号則で復号し、送信側からの送信データを復元する復号部６とを備えている。
【００２０】
復調部２は、パス検出回路３と、複数（図示は３つ）のフィンガー部４（４−１〜４−３）と、Ｒａｋｅ（レイク）合成回路５とを有している。
【００２１】
パス検出回路３は、無線受信部１からの受信信号（拡散化ベースバンド信号）と、既知のパイロット信号（シンボル）との相関を取り、主要なパス（そのタイミング及びレベル）を検出し、パスタイミング情報及びパスレベル情報として出力する。
【００２２】
各フィンガー部４（４−１〜４−３）は同一構成でありそれぞれ、パス検出回路３からのパスタイミングを基に、無線受信部１からの受信信号（データシンボル及びパイロットシンボルを含む拡散化ベースバンド信号）を該当拡散符号で逆拡散しベースバンド信号として出力する逆拡散回路４１と、逆拡散回路４１の出力受信信号（逆拡散後のベースバンド信号）に対し、その中のパイロットシンボルの位相を検出することによりフェージングによる受信信号の位相の回転を推定し、チャネル推定値として出力するチャネル推定回路４２と、逆拡散回路４１の出力受信信号をチャネル推定回路４２における処理時間分だけ遅らせる遅延回路４３と、遅延回路４３を通した逆拡散回路４１からの受信信号のすべてのシンボル（データシンボル及びパイロットシンボル）に対しチャネル推定回路４２からのチャネル推定値を掛け、位相の補正を行う乗算器４４とを有している。
【００２３】
Ｒａｋｅ合成回路５は、各フィンガー部４（４−１〜４−３）の出力信号の加算合成を行う。
【００２４】
図２に、チャネル推定回路４２の構成例を示す。
【００２５】
図２においてチャネル推定回路４２は、受信したパイロットシンボルとその複素共役との乗算を行う乗算器４２１と、乗算器４２１の出力（レベル及び位相）を複素共役正規化する複素共役正規化回路４２２と、複素共役正規化回路４２２の出力（瞬時のチャネル推定値）に忘却回路４２６からの出力の加算を行いチャネル推定値（今回の最終的なチャネル推定値）として出力する加算器４２３と、加算器４２３の出力（レベル）を正規化する推定値正規化回路４２４と、基準の忘却係数の値を保持し、パス検出回路３からのパスレベル情報に基づいて基準の忘却係数の値を変更した忘却係数を算出する忘却係数算出回路４２５と、推定値正規化回路４２４を通して加算器４２３から出力された前回のチャネル推定値（前回の最終的なチャネル推定値）を保持し、これに忘却係数算出回路４２５からの忘却係数の値を掛けた結果を加算器４２３へ出力する忘却回路４２６とを有している。
【００２６】
図３に、チャネル信号のフレーム構成を示す。所定周期の１無線フレームは複数のスロット（スロット１〜スロットＮ）に分割される。各スロットはデータ部とパイロット部とに分かれている。パイロットパターンはスロットごとに異なり、フレーム周期となっている。パイロットパターンは数シンボルから構成され、その受信したシンボルは『ＡｅＪθ』と表される。
【００２７】
なお本発明においては、パス検出回路２と、各フィンガー部４（４−１〜４−３）のチャネル推定回路４２，遅延回路４３，及び乗算器４４とを総称してチャネル推定装置と称する。
【００２８】
次に、図１、２及び３を参照して本実施の形態の動作を説明する。
【００２９】
ＣＤＭＡ無線通信システムの送信側（ＣＤＭＡ送信装置）では、送信データをチャネル符号化してパイロット信号とともにデータ変調し、拡散符号で拡散後、無線周波数信号に変調して無線送信する。
【００３０】
無線受信部１は、この相手先（ＣＤＭＡ送信装置）より送信されたＣＤＭＡ方式の無線周波数信号を受信し拡散符号で拡散されたベースバンドの受信信号（拡散化ベースバンド信号）として、復調部２のパス検出回路３及び各フィンガー部４（４−１〜４−３）へ出力する。
【００３１】
パス検出回路３では、複数のパス（パスタイミング及びパスレベル）を検出し出力し、所定のアルゴリズムに従って各フィンガー部４−１〜４−３へそれぞれ割り当てる（例えば、レベルの上位から選択する）。また、各フィンガー部４−１〜４−３において、逆拡散回路４１にはパスタイミング情報を、チャネル推定回路４２にはパスレベル情報を入力する。
【００３２】
各フィンガー部４−１〜４−３の逆拡散回路４１は、パス検出回路３からのパスタイミングを基に無線受信部１からの受信信号を逆拡散し、各データシンボル及びパイロットシンボルをチャネル推定回路４２及び遅延回路４３へ出力する。
【００３３】
チャネル推定回路４２は、逆拡散回路４１の出力パイロットシンボルに基づいてフェージングによる受信信号の位相の回転を推定し、逆拡散回路４１の全出力シンボルに対し、位相の回転を補正する。
【００３４】
ここで、チャネル推定回路４２の動作の詳細を説明する。
【００３５】
乗算器４２１の一方の入力である受信したパイロットシンボルを『ＡｅＪθ』とする（Ａ：振幅，θ：位相）。送信側で送信したパイロットシンボルを『１＋ｊ』とすると、乗算器４２１の他方の入力であるその正規化した複素共役は『ｅ−Ｊπ／４』となる。乗算器４２１でこれらを掛け合わせると『ＡｅＪ（θ−π／４）』となり、これがフェージングによる位相の回転を表す。
【００３６】
パイロットシンボルは毎スロット（ｓｌｏｔ）存在し、数ビット存在するので、全てのパイロットシンボルで位相の回転を算出する。複素共役正規化回路４２２で、スロットごとに、それらの位相の回転を平均し、複素共役正規化した値『ｅＪ（π／４−θ）』を出力し、加算器４２３の一方の入力とする。
【００３７】
ここで、加算器４２３から出力された前回のチャネル推定値を『ｅＪφ』とする。忘却係数算出回路４２５は、パスレベル情報に基づいて忘却係数『λ』を算出する。忘却回路４２６は、この忘却係数『λ』と前回のチャネル推定値『ｅＪφ』とを掛け合わせた値『λｅＪφ』を出力し、加算器４２３の他方の入力とする。
【００３８】
加算器４２３は、複素共役正規化回路４２２からの入力『ｅＪ（π／４−θ）』と忘却回路４２４からの入力『λｅＪφ』とを加算した値『λｅＪφ＋ｅＪ（π／４−θ）』を、今回のチャネル推定値として出力し、推定値正規化回路４２４によりそのレベルを正規化する。
【００３９】
各フィンガー部４（４−１〜４−３）の乗算器４４で、チャネル推定回路４２から出力されたチャネル推定値を、逆拡散回路３１から出力され遅延回路４３でタイミングを合わされたた全てのシンボルに掛けることにより、受信信号の位相回転が補正される。
【００４０】
各フィンガー部４（４−１〜４−３）の出力は、Ｒａｋｅ合成回路５により加算、合成され、復号部６に入力される。
【００４１】
復号部６は、送信側の符号化則に対応した復号則に従い、送信されたデータを復元する。
【００４２】
次に、チャネル推定回路４２における忘却係数の算出方法の詳細を説明する。
【００４３】
各フィンガー部４のチャネル推定回路４２では、忘却係数λをパス検出回路３からのパスレベルに従って変化させる。同期外れ状態ではチャネル推定値は誤差が大きいので、λを“０”に近づけ、以前の推定値の影響を少なくする。また、同期が安定した場合には微小時間での位相の変化量は微小と考えられるため、予め設定されたλ本来の値（基準値：λ０  ）とする。
【００４４】
上記の条件を満たす以下の式を導入しそれに従って忘却係数を制御する。
【００４５】
λ＝λ０  ×ｆ（Ｘ）
ただし、Ｘ：パスレベル、ｆ（Ｘ）：Ｘが“０”より大きくなるに従って“０”から“１”の範囲内（０≦ｆ（Ｘ）≦１）で漸増する値をとる関数、λ０  ：基準忘却係数、である。
【００４６】
図４に、ｆ（Ｘ）の一例を示す。パスレベルＸが低レベル閾値Ｘｌ以下の場合は、Ｙ＝ｆ（Ｘ）は“０”、Ｘが高レベル閾値Ｘｈ以上の場合は、ｆ（Ｘ）は“１”、ＸがＸｌとＸｈとの間の場合は、ｆ（Ｘ）はＸの増加に比例して“０”から“１”まで増加する。
【００４７】
なお、低レベル閾値Ｘｌを設けないようにすることもできる。このとき、パスレベルＸが高レベル閾値Ｘｈ以上の場合は、ｆ（Ｘ）は“１”とし、Ｘが高レベル閾値より低くなるにしたがってｆ（Ｘ）は“１”より漸次減少した値とする。
【００４８】
【発明の効果】
以上説明したように本発明によれば、以下に記載するような効果を奏する。第１の効果はパスレベルの低い場合、前回のチャネル推定値の重み付け（忘却係数）を小さくすることによりチャネル推定誤差の影響を減少させることができる。第２の効果はチャネル推定値の誤差が減少することにより過渡期における同期確立時間を短縮することができる。
【図面の簡単な説明】
【図１】本発明の一実施の形態を示すブロック構成図である。
【図２】図１のチャネル推定回路の構成例を示す図である。
【図３】フレーム及びスロットの構成例を示す図である。
【図４】パスレベルに応じて実際の忘却係数が基準忘却係数より変化する一例を示す図である。
【符号の説明】
１    無線受信部
３    パス検出回路
４（４−１〜４−３）    フィンガー部
５    Ｒａｋｅ（レイク）合成回路
６    復号部
４１    逆拡散回路
４２    チャネル推定回路
４３    遅延回路
４４，４２１    乗算器
４２２    複素共役正規化回路
４２３    加算器
４２４    推定値正規化回路
４２５    忘却係数算出回路
４２６    忘却回路
【図１】
2005020445.tif 000003
【図２】
2005020445.tif 000004
【図３】
2005020445.tif 000005
【図４】
2005020445.tif 000006